(57)【特許請求の範囲】
【請求項１】
赤熱コークスを受骸するバケットが載置されるバケット台車の前部と後部のそれぞれに、バケットの上部開口に被さる前後に２分割されたバケットカバーと、バケットカバーを持ち上げながら前後方向に移動させる平行リンクと、平行リンクを回動させるリンク駆動手段とを配設したバケットカバー開閉装置において、
載置された前記バケットと隙間を開けて前記バケット台車の前部と後部のそれぞれに、前記平行リンクを支持する支持柱が立設され、前記平行リンクは１本又は複数本のリンクが前後に平行に配置され、それぞれのリンクは、上端が２分割されたそれぞれのバケットカバーの開き側の端部に軸支され、下端が軸芯高さの異なる回転軸に固定されて前記支持柱の下部に軸支され、前記リンクの回転軸のうちいずれか一本の回動軸を回転させて平行リンクを回動させるリンク駆動手段が設けられていることを特徴とするバケットカバーの開閉装置。
【請求項２】
前記リンク駆動手段が、前記リンクの回転軸のいずれか一本の回動軸に固定されたレバーを上下動させる手段であることを特徴とする請求項１記載のバケットカバーの開閉装置。
【発明の詳細な説明】
【技術分野】
【０００１】
本発明は、コーク炉から排出される赤熱コークスを受骸するバケットの上部開口のバケットカバーを開閉するバケットカバー開閉装置に関する。
【背景技術】
【０００２】
赤熱コークスをＣＤＱ（コークス乾式消火設備）で冷却するのに、コークス炉に沿って設けられたレールを走行するバケット台車に載置されたバケットでコークス炉から赤熱コークスを受骸した後、バケット台車をＣＤＱ近くまで移動させ、バケット台車からバケットをクレーンで吊り上げてＣＤＱの赤熱コークス投入口へ移動させ、バケットの底部を開いて赤熱コークスをＣＤＱ内へ投入している。
【０００３】
バケットの上部開口は、赤熱コークス粉塵の飛散や火炎吹き出しを防止するためバケットカバーで覆われる。バケットカバーは、開閉装置により赤熱コークスの受骸時に開き、移動中に閉じ、バケット台車からクレーンで吊り上げる際に再び開く。
【０００４】
コーク炉からの赤熱コークスをバケットに受骸する時、コーク炉の付帯設備である集塵フードなどとの干渉をさけることを目的としたバケットカバーの開閉装置が特許文献１に開示されている。
【０００５】
図４（ａ）は従来のバケットカバー開閉装置の正面図、（ｂ）は同斜視図である。図５は従来のバケットカバー開閉装置の赤熱コークス投入の状態を示す図である。
【０００６】
前記特許文献１に開示されているバケットカバーの開閉装置は、バケット２１の上部開口に開閉可能に被さるカバーが前後２枚に分割された移動蓋２２によって構成される。移動蓋２２の開閉装置は、バケット２１を載置してレール２４上を走行するバケット台車２３の両側にバケット２１とは隙間をおいて平行リンク機構が設けられる。
【０００７】
平行リンク機構は、バケット台車２３に取付けられる固定架台２５に２本のロッド２７，２８からなる平行リンク枠２６が連結され、左右の平行リンク枠２６を連結するコ字状の連結部材２９が補助部材３０を介してシリンダ３１に連結される。平行リンク枠２６のロッド２７，２８の上部には移動蓋２２のロッド３２を載置するＶ字溝３３が取付けられる。
【０００８】
シリンダ３１を伸縮することによって、平行リンク枠２６を回動させて、２分割された移動蓋２２を持ち上げながら前後方向に開閉するものである。これにより、移動蓋２２を開閉するに必要な高さが従来の観音開き構造より小さくなる。
【０００９】
前記特許文献１の開閉装置では、図５に示すように、移動蓋２２を開いたままバケット台車２３を移動させても上部の集塵フード３４と干渉しなくなり、赤熱コークス３５をバケット２１に受骸後、直ちに移動蓋２２を閉塞させつつバケット台車２３のＣＤＱへの移動が可能となる。また、その逆の閉塞した移動蓋２２を開きながらバケット台車２３をＣＤＱからコークス炉集塵フード３４の下へ移動させることが可能となる。
【特許文献１】特開平７−２７８５５７号公報
【発明の開示】
【発明が解決しようとする課題】
【００１０】
前記特許文献１の開閉装置では、移動蓋の開閉機構を構成している複数のリンク機構の軸芯の配設は各々地上と平行となっている。この機構から、移動蓋の開閉に必要な当該平行リンクの稼働方向は垂直方向の力で稼働は不可能で水平方向に限られるため、平行リンクの駆動手段はバケットの前後に、水平方向にシリンダを配置した駆動手段が設けられている。
【００１１】
さらに、駆動手段を設けるための支持架台は、バケットから遠く離れた位置のバケット台車上となっている。その結果、移動蓋を設けたバケット台車は、その分、長さが長くなっている。
【００１２】
コークス炉からＣＤＱに赤熱コークス装入する操業において、電車に２台のバケット台車を連結し、１台のバケット台車には赤熱コークスを受骸したバケットを載せ、他の１台のバケット台車には空のバケットを載せる。ＣＤＱへ移動して赤熱コークスを受骸したバケットをクレーンで吊り上げてＣＤＱに赤熱コークスを投入する間に、電車は空のバケットを載せたままコークス炉に移動して受骸し、ＣＤＱへ戻る。ＣＤＱへ戻ると、空のバケット台車に赤熱コークスを投入して空になったバケットを降ろし、赤熱コークスを受骸したバケットをクレーンで吊り上げてＣＤＱに赤熱コークスを投入する。この作業を二つのバケットで繰り返して赤熱コークスを搬送している。バケット台車は通常の操業において、２００回／日・台程度の移動を繰り返し使用されるものであり、バケット台車が長くなると、移動距離が長くなってその分生産性が低下する。
【００１３】
また、バケットから隙間をあけて、複数のリンク機構からなる移動蓋の開閉機構をバケット台車の幅方向の両側に設けているため、小型コークス炉のように、コークス炉前のバケット受骸スペースの幅が狭く、高さも低い場合では、移動蓋の開閉機構とコークス炉の外壁とが干渉してバケット台車を使用することができない場合がある。
【００１４】
さらに、移動蓋の開閉機構が複数のリンク機構からなる極めて複雑なものであるために製作及びその保守に手間が掛かるという問題がある。
【００１５】
そこで、本発明は、開閉機構をバケット台車の幅方向の両側に設けないでコークス炉の集塵フードなどとの干渉を避け、バケット台車が長くならないようにして生産性を向上させ、構造を簡単にして製作及びその保守に手間が掛からなバケットカバー開閉装置を提供するものである。
【課題を解決するための手段】
【００１６】
本発明のバケットカバーの開閉装置は、赤熱コークスを受骸するバケットが載置されるバケット台車の前部と後部のそれぞれに、バケットの上部開口に被さる前後に２分割されたバケットカバーと、バケットカバーを持ち上げながら前後方向に移動させる平行リンクと、平行リンクを回動させるリンク駆動手段とを配設したバケットカバー開閉装置において、載置された前記バケットと隙間を開けて前記バケット台車の前部と後部のそれぞれに、前記平行リンクを支持する支持柱が立設され、前記平行リンクは１本又は複数本のリンクが前後に平行に配置され、それぞれのリンクは、上端が２分割されたそれぞれのバケットカバーの開き側の端部に軸支され、下端が軸芯高さの異なる回転軸に固定されて前記支持柱の下部に軸支され、前記リンクの回転軸のうちいずれか一本の回動軸を回転させて平行リンクを回動させるリンク駆動手段が設けられていることを特徴とする。
【００１７】
リンク駆動手段が、前記リンクの回転軸のうちいずれかの回動軸に固定されたレバーを上下動させる手段とすることができる。
【発明の効果】
【００１８】
本発明は、移動蓋の開閉を平行リンクの回転軸を回転駆動させる構造により、駆動距離が短くて済み、開閉装置がバケット台車の前部及び後部にコンパクトに配設できるので、その分、バケット台車の長さを短くすることが可能となる。それにより、生産性が向上する。
【００１９】
また、本発明はバケット台車の両側ではなくバケット台車の前部及び後部にバケットカバーを開閉する全ての機構を設けているため、小型コークス炉のように、コークス炉前のバケット受骸スペースの幅が狭く、高さも低い場合においても、バケットカバーの開閉機構とコークス炉の外壁とが干渉することなくバケット台車の移動が可能となる。
【００２０】
さらに、本発明は、開閉装置の構造がシンプルなので、製作及びその保守が容易となる。
【発明を実施するための最良の形態】
【００２１】
図１（ａ）は本発明によるバケットカバー開閉装置の側面図、（ｂ）は同平面図、（ｃ）は同側面図である。また、図２は本発明によるバケットカバー開閉装置の斜視図で、一方の移動蓋を開いた状態を示す。
【００２２】
バケット１を載せるバケット台車２は、コークス炉に沿って設けられたレール３を走行し、コークス炉とＣＤＱの間を往復動する。バケット台車２は電車に２台連結し、１台のバケット台車２に赤熱コークスを受骸したバケット１を載せ、他の１台のバケット台車２には空のバケット１を載せ、コークス炉とＣＤＱの間を往復して、受骸したバケット１からＣＤＱへ赤熱コークスの投入を行い、投入の間に空のバケット１に赤熱コークスを受骸する作業をそれぞれのバケット１について交互に行う。
【００２３】
バケットの上部開口４は、前後に２分割された開閉可能なバケットカバー５が被せられる。
【００２４】
バケット台車２の前部と後部にはそれぞれ支持柱６が立設される。支持柱６は、２分割されたバケットカバー５の端部に軸７により軸支されてバケットカバー５を支持するくの字形の支持用リンク８と、バケットカバー５の端部に軸９により軸支されてバケットカバー５を移動させて開閉させるくの字形の開閉用リンク１０とが平行に配置された平行リンク１１を支持する。支持柱６はバケット台車２に載置されたバケット１を昇降させるためのクレーンのフックが昇降できる隙間１２を開けて立設される。
【００２５】
平行リンク１１の支持用リンク８の下端は回転軸１３により支持柱６の下部に軸支され、開閉用リンク１０の下端が支持用リンク８の回転軸１３と軸芯高さが異なる回転軸１４により支持柱６の下部に軸支される。支持用リンク８と開閉用リンク１０の上端は同じ軸芯高さでバケットカバー５の端部に軸７，９により軸支される。
【００２６】
支持用リンク８の回転軸１３と開閉用リンク１０の回転軸１４うち、いずれかの回転軸１３又は１４に、図２では開閉用リンク１０の回転軸１４にレバー１６の一端が固定され、レバー１６の他端はレバー１６を上下動させて開閉用リンク１０の回転軸１４を回転させるリンク駆動手段に枢着される。リンク駆動手段は、例えばモータ１７の回転により歯車を介して上下動する昇降棒１８あるいは、エヤーシリンダー又は油圧シリンダーによってロッドを上下動する昇降棒１８の端部をレバー１６の他端に枢着して開閉用リンク１０の回転軸１４を回転させ、平行リンクを回動させる。昇降棒１８の下端は軸１５により回動自在に支持される。
【００２７】
次に、本発明によるバケットカバー開閉装置の動作について説明する。
【００２８】
バケット台車２に載置されたバケット１にコークス炉から赤熱コークスを投入する前に、モータ１７で昇降棒１８を下げて開閉用リンク１０の回転軸１４に固定されたレバー１６を下降させる。レバー１６の下降により開閉用リンク１０の回転軸１４が回転して開閉用リンク１０及びバケットカバー５がバケット１から離れる方向に移動するとともに、バケットカバー５の移動により支持用リンク８の回転軸１３がバケットカバー５を水平状態に維持した状態で回転して、バケットカバー５がバケット１の上部開口を開く。
【００２９】
バケットカバー５がバケット１の上部開口４を開いた後、コークス炉から赤熱コークスがバケット１へ投入される。バケット１への赤熱コークスの投入が完了すると、モータ１７で昇降棒１８を上昇させて開閉用リンク１０の回転軸１４に固定されたレバー１６を上昇させる。レバー１６の上昇により開閉用リンク１０の回転軸１４が回転して開閉用リンク１０及びバケットカバー５がバケット１の方向に移動するとともに、バケットカバー５の移動により支持リンク８がバケットカバー５を水平状態に維持した状態で回転してバケット１の上部開口４を塞ぐ。
【００３０】
図３（ａ）は本発明のバケットカバー開閉装置の軌跡、（ｂ）は従来のバケットカバー開閉装置の軌跡を示す図である。
【００３１】
図３（ａ）に示す本発明のバケットカバー開閉装置は、回転軸を回転させて平行リンクを回転させてバケットカバーを前後に開く構造であるため、長手方向のストロークをほとんど必要としないので、開閉装置をバケット台車の前後にコンパクトに配設することができる。その結果、台車の長さを短くすることができる。
【００３２】
一方、図３（ｂ）に示す従来のバケットカバー開閉装置では、バケット台車の両側に配設される平行リンクを引いてバケットカバーを開くためにシリンダのストロークを長手方向に長く取る必要がある。このため、シリンダの設置場所をバケットから離れた位置に設置しなくてはならないので、バケット台車の長さが長くなる。前記の実施例は、２本の平行リンク設置の場合における実施例を示したが、本発明はこれに限られることなく１本又は３本以上の平行リンクを設けた場合もカバーの開閉は可能で、同様の効果を奏する。
【図面の簡単な説明】
【００３３】
【図１】（ａ）は本発明によるバケットカバー開閉装置の正面図、（ｂ）は同平面図、（ｃ）は同側面図である。
【図２】本発明によるバケットカバー開閉装置の斜視図で、一方の移動蓋を開いた状態を示す。
【図３】（ａ）は本発明のバケットカバー開閉装置の軌跡、（ｂ）は従来のバケットカバー開閉装置の軌跡を示す図である。
【図４】（ａ）は従来のバケットカバー開閉装置の正面図、（ｂ）はバケットカバー開閉装置の斜視図である。
【図５】従来のバケットカバー開閉装置の赤熱コークス投入の状態を示す図である。
【符号の説明】
【００３４】
１：バケット                ２：バケット台車
３：レール                  ４：上部開口
５：バケットカバー          ６：支持柱  
７：軸                      ８：支持用リンク
９：軸                    １０：開閉用リンク
１１：平行リンク            １２： 隙間
１３：支持用リンクの回転軸  １４：開閉用リンクの回転軸
１５：軸                    １６：レバー
１７：モータ                １８：昇降棒
２１：バケット              ２２：移動蓋
２３：レール                ２４：バケット台車
２５：固定架台              ２６：平行リンク枠
２７：ロッド                ２８：ロッド
２９：連結部材              ３０：補助部材
３１：シリンダ              ３２：ロッド
３３：Ｖ字溝                ３４：集塵フード
【図１】
0005065774.tif 000002
【図２】
0005065774.tif 000003
【図３】
0005065774.tif 000004
【図４】
0005065774.tif 000005
【図５】
0005065774.tif 000006